(57)【要約】【課題】コントローラ３００が放電灯点灯装置１００に省エネ制御や安全停止指令や通報指令を行えるようにする。【解決手段】点灯装置記憶部１２９は放電灯識別情報、点灯装置内測定器１８０、放電灯測定器２８０、照明器具内測定器２８１および照明器具外測定器２８２により測定された測定値、放電灯状態情報などを放電灯情報としてコントローラ３００に送信する。コントローラ３００では放電灯情報に基づいて省エネ制御や安全停止命令や通報指令を示す放電灯制御情報を生成し放電灯点灯装置１００に送信する。点灯制御部１２３は放電制御情報に応じてインバータ回路１１０に放電灯２１０の点灯制御をさせる。放電灯点灯装置１００が放電灯情報を外部に送信することで遠隔地に対して放電灯２１０の状態を通知することや遠隔地から放電灯２１０を点灯制御することができる。【選択図】図２
2007287671.tif 000002
【特許請求の範囲】
【請求項１】
放電灯に関する放電灯情報を要求する情報要求データを受信する要求受信部と、
前記要求受信部が情報要求データを受信した場合に放電灯情報を記憶機器から取得する放電灯情報取得部と、
前記放電灯情報取得部が取得した放電灯情報を情報要求元に送信する放電灯情報送信部と
を備えたことを特徴とする放電灯点灯装置。
【請求項２】
前記放電灯情報取得部は、
放電灯を識別する放電灯識別情報と測定器により測定された放電灯に関する物理量を示す放電灯測定情報と放電灯の状態を示す放電灯状態情報との全ての情報または少なくともいずれかの情報を放電灯情報として取得する
ことを特徴とする請求項１記載の放電灯点灯装置。
【請求項３】
前記放電灯点灯装置は、さらに、
前記放電灯情報送信部が送信した放電灯情報に基づいて放電灯の点灯制御に使用する放電灯制御情報を生成したコントローラから放電灯制御情報を受信し受信した放電灯制御情報を記憶機器に記憶する制御情報受信部と、
記憶機器に記憶された放電灯制御情報に基づいて放電灯を点灯制御する点灯制御部と
を備えたことを特徴とする請求項１〜請求項２いずれかに記載の放電灯点灯装置。
【請求項４】
前記放電灯情報送信部は有線と無線との少なくともいずれかにより放電灯情報を送信する
ことを特徴とする請求項１〜請求項３いずれかに記載の放電灯点灯装置。
【請求項５】
放電灯に関する放電灯情報を要求する情報要求データを前記コントローラから受信する要求受信部と、
前記要求受信部が情報要求データを受信した場合に放電灯情報を記憶機器から取得する放電灯情報取得部と、
前記放電灯情報取得部が取得した放電灯情報を前記コントローラに送信する放電灯情報送信部と、
前記放電灯情報送信部が送信した放電灯情報に基づいて放電灯制御情報を生成した前記コントローラから放電灯制御情報を受信し受信した放電灯制御情報を記憶機器に記憶する制御情報受信部と、
記憶機器に記憶された放電灯制御情報に基づいて放電灯を点灯制御する点灯制御部と
を備えてなる放電灯点灯装置と、
情報要求データを送信する要求送信部と、
前記放電灯点灯装置から放電灯情報を受信し受信した放電灯情報を記憶機器に記憶する放電灯情報受信部と、
記憶機器に記憶された放電灯情報に基づいて放電灯制御情報を生成し生成した放電灯制御情報を記憶機器に記憶する制御情報生成部と、
記憶機器に記憶された放電灯制御情報を前記放電灯点灯装置に送信する制御情報送信部とを備えてなるコントローラと
を備えたことを特徴とする照明制御システム。
【請求項６】
前記放電灯情報取得部は、
放電灯を識別する放電灯識別情報と測定器により測定された放電灯に関する物理量を示す放電灯測定情報と放電灯の状態を示す放電灯状態情報との全ての情報または少なくともいずれかの情報を放電灯情報として取得し、
前記制御情報生成部は、
放電灯識別情報と放電灯測定情報と放電灯状態情報との全ての情報または少なくともいずれかの情報に基づいて放電灯制御情報を生成する
ことを特徴とする請求項５記載の照明制御システム。
【請求項７】
前記コントローラにおいて、
前記放電灯情報受信部は放電灯を点灯させた累積時間を示すランプ積算時間と放電灯の点灯に用いるインバータ回路を稼働させた累積時間を示すインバータ積算時間と放電灯に異常が発生している場合に放電灯の異常を示すエラー情報との少なくともいずれかを含む放電灯情報を受信し、
前記制御情報生成部は、放電灯情報に含まれるランプ積算時間が所定のランプ寿命時間以上の場合と放電灯情報に含まれるインバータ積算時間が所定のインバータ寿命時間以上の場合と放電灯情報に含まれるエラー情報が放電灯の異常を示している場合との少なくともいずれかの場合に、放電灯制御情報を生成する
ことを特徴とする請求項５〜請求項６いずれかに記載の照明制御システム。
【請求項８】
前記コントローラの前記制御情報生成部は、放電灯の点灯を制御する放電灯点灯制御と前記放電灯点灯装置を有する照明器具に備えた通知用の光源の点灯を制御する通知用光源点灯制御と前記照明器具に備えた通知用の音源から所定の音を出力する音出力制御と前記コントローラと通信接続する表示装置に所定情報を表示する表示制御との少なくともいずれかの制御を示す放電灯制御情報を生成する
ことを特徴とする請求項５〜請求項７いずれかに記載の照明制御システム。
【請求項９】
前記放電灯点灯装置が送信した放電灯情報を通信機を用いて受信し、受信した放電灯情報を表示装置に表示する端末装置を有することを特徴とする請求項５〜請求項８いずれかに記載の照明制御システム。
【請求項１０】
請求項５〜請求項９いずれかに記載の複数の照明制御システムと、
複数の前記照明制御システムと通信接続する制御管理装置であり、各照明制御システムの前記放電灯点灯装置が送信した放電灯情報を通信機を用いて受信し、受信した放電灯情報を表示装置に表示する制御管理装置と
を有することを特徴とする制御管理システム。
【発明の詳細な説明】
【技術分野】
【０００１】
本発明は、例えば、照明制御を行うための放電灯点灯装置、照明制御システムおよび制御管理システムに関するものである。
【背景技術】
【０００２】
特許文献１には寿命時間に達したことを報知する機能を有する放電灯点灯装置について示されている。
【特許文献１】特開２００４−２５９５３３号公報
【発明の開示】
【発明が解決しようとする課題】
【０００３】
特許文献１では器具本体が報知手段をもっているが、放電灯点灯装置が寿命に達したことを認知するためには利用者は器具まで出向き確認をしなくてはならない。
【０００４】
本発明は、例えば、上位コントローラが、放電灯点灯装置に省エネ制御を行わせたり、放電灯情報がエラー情報を示していると判断した場合に放電灯点灯装置に安全停止指令や通報指令を行う安価な監視制御システムを構築できるようにすることを目的とする。
【課題を解決するための手段】
【０００５】
本発明の放電灯点灯装置は、放電灯に関する放電灯情報を要求する情報要求データを受信する要求受信部と、前記要求受信部が情報要求データを受信した場合に放電灯情報を記憶機器から取得する放電灯情報取得部と、前記放電灯情報取得部が取得した放電灯情報を情報要求元に送信する放電灯情報送信部とを備えたことを特徴とする。
【発明の効果】
【０００６】
本発明によれば、放電灯点灯装置が情報要求に対して放電灯情報を送信することにより、例えば、上位コントローラが、放電灯情報を要求して放電灯点灯装置から受信した放電灯情報に基づき、放電灯点灯装置に対して省エネ制御、安全停止指令、通報指令などの監視制御を実行することができる。
【発明を実施するための最良の形態】
【０００７】
実施の形態１．
図１は、実施の形態１における照明制御システム１０１のシステム構成図である。
各照明器具２００はそれぞれ電源４００から電力の供給を受け照明器具２００に取り付けられた放電灯２１０（図２参照）を点灯させる。また、コントローラ３００は、各照明器具２００が備える放電灯点灯装置１００（図２参照）から放電灯に関する放電灯情報を受信し、放電灯情報やリモートコントローラ５００から送信された利用者の命令に基づいて放電灯２１０を点灯制御する放電灯制御情報を生成する。そして、コントローラ３００は放電灯制御情報を放電灯点灯装置１００に送信して各放電灯２１０の点灯を制御する。
【０００８】
図２は、実施の形態１における照明器具２００の機能構成図である。
照明器具２００は放電灯点灯装置１００、放電灯２１０、放電灯測定器２８０および照明器具内測定器２８１を備え、また、照明器具２００は照明器具外測定器２８２、照度センサ２８３および人感センサ２８４を外部に有する。
放電灯点灯装置１００はインバータ回路１１０、マイクロコンピュータ１２０、点灯装置インタフェース回路１３０および点灯装置内測定器１８０を備え、放電灯２１０に関する放電灯情報と放電灯制御情報とを記憶し放電灯を点灯制御する。
【０００９】
インバータ回路１１０は、電源４００から得た交流電圧を脈流電圧に整流化し、脈流電圧を昇圧および平滑化し、平滑化した脈流電圧を交流化して放電灯２１０を点灯させる。
点灯装置内測定器１８０は放電灯点灯装置１００に印加している電圧、電流および消費電力を測定する回路計および放電灯点灯装置１００内の温度と湿度を測定する温湿度計である。
放電灯測定器２８０は放電灯２１０に印加している電圧、電流および電力を測定する回路計および放電灯点灯装置１００内の温度と湿度を測定する温湿度計である。
照明器具内測定器２８１は照明器具２００内の温度と湿度を測定する温湿度計であり、照明器具外測定器２８２は照明器具２００外の温度と湿度を測定する温湿度計である。
点灯装置内測定器１８０、放電灯測定器２８０および照明器具内測定器２８１は定期的またはマイクロコンピュータ１２０からの命令を受けた時に測定を行い測定値をマイクロコンピュータ１２０に出力する。
点灯装置内測定器１８０、放電灯測定器２８０および照明器具内測定器２８１は、放電灯２１０に関する物理量を測定する測定器の一例であり、電圧、電流、消費電力、温度、湿度以外の物理量を測定してもよい。
マイクロコンピュータ１２０は点灯装置内測定器１８０、放電灯測定器２８０、照明器具内測定器２８１から得られた各測定値を含む放電灯情報をコントローラ３００に送信し、コントローラ３００から受信した放電灯制御情報に基づいてインバータ回路１１０を制御して放電灯２１０を点灯させる。コントローラ３００は照明器具２００内に設けてもよい。
点灯装置インタフェース回路１３０はマイクロコンピュータ１２０とコントローラ３００との間で情報の送受信を行う。
照度センサ２８３は照明器具２００が設置された場所の実照度を測定する。照度センサ２８３は、例えば光センサであり、光センサはフォトダイオード、電流電圧変換装置、増幅装置を備え実照度を測定する。
人感センサ２８４は照明器具２００が設置された場所に人が存在するかしないかを検出する。人感センサ２８４は、例えば焦電センサ（熱センサ）や光通過センサであり、赤外線量や光量を測定し、赤外線や光の変化により人の有無を判定する。人感センサ２８４は人の有無を人感センサ状態として出力する。以下、人感センサ状態を人感センサ２８４の検出結果とする。
照度センサ２８３と人感センサ２８４は自ら定期的にまたはマイクロコンピュータ１２０からの命令を受けた時に測定を行い、測定値および検出結果をマイクロコンピュータ１２０に出力する。
【００１０】
また、マイクロコンピュータ１２０は点灯装置送受信部１２１、点灯装置情報操作部１２２、点灯制御部１２３および点灯装置記憶部１２９を備える。
要求受信部、放電灯情報送信部、制御情報受信部からなる点灯装置送受信部１２１は放電灯情報を要求する情報要求データを点灯装置インタフェース回路１３０を介してコントローラ３００から受信する。また、点灯装置送受信部１２１は放電灯情報を情報要求元であるコントローラ３００に点灯装置インタフェース回路１３０を介して送信する。また、点灯装置送受信部１２１はコントローラ３００から放電灯制御情報を点灯装置インタフェース回路１３０を介して受信する。
点灯装置情報操作部１２２（放電灯情報取得部）は点灯装置送受信部１２１が情報要求データを受信した場合に放電灯情報を点灯装置記憶部１２９から取得する。また、点灯装置情報操作部１２２は点灯装置送受信部１２１が受信した放電灯制御情報を点灯装置記憶部１２９に記憶する。また、点灯装置情報操作部１２２は定期的にまたはコントローラ３００からの命令（またはリモートコントローラ５００からの利用者の命令）を受けた時に点灯装置内測定器１８０、放電灯測定器２８０、照明器具内測定器２８１、照明器具外測定器２８２、照度センサ２８３および人感センサ２８４を起動し、測定値および検出結果を年月日、時刻と共に放電灯情報として点灯装置記憶部１２９に記憶する。また、点灯装置情報操作部１２２は点灯装置内測定器１８０、放電灯測定器２８０、照明器具内測定器２８１、照明器具外測定器２８２、照度センサ２８３および人感センサ２８４の測定値および検出結果に基づいて放電灯２１０の異常の有無を示す異常状態、放電灯点灯装置１００の故障の有無を示す故障状態、放電灯２１０の異常や放電灯点灯装置１００の故障の内容を示すエラー情報を放電灯情報として点灯装置記憶部１２９に記憶する。点灯装置情報操作部１２２は、例えば、放電灯点灯装置１００内部のトランジスタやＦＥＴなどのパワーデバイスに掛かっている電圧であり点灯装置内測定器１８０が測定した電圧が閾値以上である場合に故障状態に“故障”と設定しエラー情報に“過電圧”と設定する。
点灯制御部１２３は記憶機器である点灯装置記憶部１２９に記憶された放電灯制御情報に基づいてインバータ回路１１０を制御する点灯制御信号を生成して出力しインバータ回路１１０に放電灯の点灯を制御させる。点灯制御部１２３は、例えば、放電灯２１０の調光率をインバータ回路１１０に制御させる。また、点灯制御部１２３はインバータ回路１１０に制御させている放電灯２１０の実調光率を放電灯情報として点灯装置記憶部１２９に記憶する。
点灯装置記憶部１２９は放電灯２１０を識別する放電灯識別情報、点灯装置内測定器１８０、放電灯測定器２８０、照明器具内測定器２８１および照明器具外測定器２８２により測定された測定値（放電灯測定情報）、放電灯２１０の状態を示す放電灯状態情報などを放電灯情報として記憶する。また、点灯装置記憶部１２９は放電灯制御情報を記憶する。
【００１１】
図３は、実施の形態１におけるコントローラ３００の機能構成図である。
コントローラ３００はコントローラインタフェース回路３１０、コントローラ情報操作部３２０およびコントローラ記憶部３９０を備える。
要求送信部、放電灯情報受信部、制御情報送信部からなるコントローラインタフェース回路３１０は放電灯情報を要求する情報要求データを放電灯点灯装置１００に送信する。また、コントローラインタフェース回路３１０は放電灯点灯装置１００から放電灯情報を受信する。また、コントローラインタフェース回路３１０は放電灯制御情報を放電灯点灯装置１００に送信する。
制御情報生成部を有するコントローラ情報操作部３２０はコントローラインタフェース回路３１０が受信した放電灯情報をコントローラ記憶部３９０に記憶する。また、コントローラ情報操作部３２０はコントローラ記憶部３９０に記憶された放電灯情報に基づいて放電灯制御情報を生成し生成した放電灯制御情報をコントローラ記憶部３９０に記憶する。また、コントローラ情報操作部３２０は生成した放電灯制御情報をコントローラインタフェース回路３１０を介して放電灯点灯装置１００に送信する。
コントローラ記憶部３９０は放電灯情報や放電灯制御情報などを記憶する。
【００１２】
図４は、実施の形態１におけるマイクロコンピュータ１２０とコントローラ３００とのハードウェア資源の一例を示す図である。
図４において、マイクロコンピュータ１２０とコントローラ３００は、プログラムを実行するＣＰＵ９１１を備えている。ＣＰＵ９１１は、バス９１２を介して不揮発性メモリであるＲＯＭ９１３、揮発性メモリであるＲＡＭ９１４、クロック９３１と接続され、これらのハードウェアデバイスを制御する。クロック９３１は年月日や時刻の取得、定期的な情報取得時刻の検出、放電灯２１０の点灯時間の累積などに用いる。
【００１３】
図５は、実施の形態１における照明制御システム１０１の制御方法を示すフローチャートである。
実施の形態１における照明制御システム１０１の制御方法について図５に基づいて以下に説明する。
マイクロコンピュータ１２０の点灯装置送受信部１２１、点灯装置情報操作部１２２および点灯制御部１２３、また、コントローラ３００のコントローラ情報操作部３２０はＣＰＵ９１１により以下の処理を実行する。
【００１４】
＜Ｓ１０１：要求生成処理＞
まず、コントローラ情報操作部３２０は、コントローラインタフェース回路３１０がリモートコントローラ５００から利用者の命令を受信した時または一定時間ごとに、放電灯情報を要求する情報要求データを生成する。
＜Ｓ１０２：要求送信処理＞
次に、コントローラインタフェース回路３１０はコントローラ情報操作部３２０が生成した情報要求データを特定の照明器具２００に送信する。
【００１５】
＜Ｓ１０３：要求受信処理＞
次に、当該照明器具２００が備える放電灯点灯装置１００の点灯装置送受信部１２１は点灯装置インタフェース回路１３０を介してコントローラ３００から情報要求データを受信する。
＜Ｓ１０４：放電灯情報取得処理＞
点灯装置送受信部１２１が情報要求データを受信した場合、点灯装置情報操作部１２２は点灯装置記憶部１２９から放電灯情報を取得する。
放電灯情報には放電灯識別情報、放電灯測定情報、放電灯状態情報とが含まれる。
放電灯識別情報とは、放電灯２１０を個々に識別するＭＡＣ（Ｍｅｄｉａ  Ａｃｃｅｓｓ  Ｃｏｎｔｒｏｌ）アドレスや任意のグループ単位で識別するグループ番号などのことである。
放電灯測定情報とは測定器により測定された放電灯２１０に関する物理量であり、点灯装置内測定器１８０が測定した放電灯点灯装置１００の電圧、電流、消費電力、温度および湿度、放電灯測定器２８０が測定した放電灯２１０の電圧、電流、消費電力、温度および湿度、照明器具内測定器２８１が測定した照明器具２００内の温度と湿度、照明器具外測定器２８２が測定した照明器具２００外の温度と湿度などのことである。
放電灯状態情報とは放電灯２１０の異常の有無を示す異常状態、放電灯点灯装置１００の故障の有無を示す故障状態、放電灯２１０の異常や放電灯点灯装置１００の故障の内容を示すエラー情報、放電灯２１０が点灯した累積時間を示すランプ積算時間、インバータ回路１１０が稼働した累積時間を示すインバータ積算時間などのことである。
＜Ｓ１０５：放電灯情報送信処理＞
次に、点灯装置送受信部１２１は点灯装置インタフェース回路１３０を介して放電灯情報をコントローラ３００に送信する。
【００１６】
＜Ｓ１０６：放電灯情報受信処理＞
次に、コントローラインタフェース回路３１０は放電灯点灯装置１００から放電灯情報を受信する。
＜Ｓ１０７：制御情報生成処理＞
コントローラインタフェース回路３１０が放電灯情報を受信した場合、コントローラ情報操作部３２０は放電灯情報をコントローラ記憶部３９０に記憶し、また、コントローラ情報操作部３２０は放電灯情報に基づいて放電灯制御情報を生成する。
例えば、コントローラ記憶部３９０にはＭＡＣアドレスやグループ番号などの放電灯識別情報に対応付けて放電灯制御情報が記憶され、コントローラ情報操作部３２０は放電灯情報に含まれる放電灯識別情報に対応する放電灯制御情報をコントローラ記憶部３９０から取得する。
また例えば、放電灯２１０は周囲温度が低いと照度が落ちるという特性を持つため、コントローラ情報操作部３２０は放電灯制御情報に含まれる放電灯点灯装置１００内、照明器具２００内外、放電灯２１０の温度について温度が閾値未満の低さであれば特定値以上の調光率を放電灯制御情報として設定する。
また例えば、コントローラ記憶部３９０には放電灯２１０の異常状態や放電灯点灯装置１００の故障状態や放電灯点灯装置１００のエラー情報などの放電灯状態情報に対応付けて放電灯制御情報が記憶され、コントローラ情報操作部３２０は放電灯情報に含まれる放電灯状態情報に対応する放電灯制御情報をコントローラ記憶部３９０から取得する。
放電灯制御情報の詳細については図６、図７、図８および図９に基づいて別途説明する。
＜Ｓ１０８：制御情報送信処理＞
次に、コントローラインタフェース回路３１０はコントローラ情報操作部３２０が生成した放電灯制御情報を放電灯点灯装置１００に送信する。
＜Ｓ１０９：制御情報受信処理＞
次に、点灯装置送受信部１２１は点灯装置インタフェース回路１３０を介してコントローラ３００から放電灯制御情報を受信する。
＜Ｓ１１０：点灯制御処理＞
点灯装置送受信部１２１が放電灯制御情報を受信した場合、点灯装置情報操作部１２２は放電灯制御情報を点灯装置記憶部１２９に記憶する。点灯制御部１２３は点灯装置記憶部１２９から放電灯制御情報を取得し放電灯制御情報に基づいてインバータ回路１１０を制御する点灯制御信号を生成する。そして、点灯制御部１２３は点灯制御信号をインバータ回路１１０に出力し、インバータ回路１１０は点灯制御信号に応じて放電灯２１０に交流電圧を供給して放電灯２１０を点灯させる。
点灯制御部１２３は、例えば、放電灯制御情報に含まれる調光率に基づいて点灯制御信号を生成しインバータ回路１１０に出力する。このとき、点灯制御部１２３は調光率の大きさに応じた周波数を持つ交流電圧をインバータ回路１１０から放電灯２１０に供給させ、放電灯２１０を点灯制御する。
【００１７】
次に、放電灯制御情報について説明する。
放電灯制御情報には、設定調光率、上限調光率、下限調光率または不在時調光率といった調光率情報、設定照度、初期照度、初期照度補正または調光カーブといった照度情報、フェード時間または人感フェード時間といった明るさの変化情報、保持時間または人感ディレー時間といった明るさの保持情報、照度センサ感度、照度通報変化量または照度通報間隔時間といった照度センサ情報、インバータ動作モード、ブザーＯＮ／ＯＦＦ状態または優先制御状態といった異常時情報、その他にスケジュールデータ、色温度値などがある。
また、各放電灯制御情報は個々の放電灯に対して設定するランプパラメータおよびグループ毎に設定するグループ調光データとしてコントローラ記憶部３９０に記憶される。
このように、個々の放電灯情報に基づき、放電灯制御情報をコントローラ３００が生成し、一元管理することが出来るので、照明器具２００の構成を簡単にすることができる。
例えば、照明システムのバージョンアップはコントローラ３００のみで対応可能とすることができ、またシステム全体のバックアップもコントローラ３００のみで対応することができる。
【００１８】
図６、図７、図８および図９は、実施の形態１における放電灯制御情報を示す概念図である。
フェード時間と設定調光率と設定照度とについて図６に基づいて説明する。
図６において横軸は時間、縦軸は放電灯２１０の調光率または照度を示す。
設定調光率は照明器具２００の電源がＯＮになった場合に点灯させる放電灯２１０の調光率である。
設定照度は照明器具２００の電源がＯＮになった場合に点灯させる放電灯２１０の照度である。
フェード時間は照明器具２００の電源がＯＮになった場合に放電灯２１０の調光率（または照度）を０から設定調光率１（または設定照度１）に上げるまでの時間および照明器具２００の電源がＯＦＦになった場合に放電灯２１０の調光率（または照度）を設定調光率１（または設定照度１）から０に下げるまでの時間を示す。但し、フェード時間は、照明器具２００の電源がＯＦＦになった場合に放電灯２１０の調光率（設定調光率１）または照度（設定照度１）を設定調光率２または設定照度２に上げるまでの時間や設定調光率３または設定照度３に下げるまでの時間を示してもよい。例えば、フェード時間は、放電灯２１０の調光率７０％（設定調光率１）を１００％（設定調光率２）に上げるまでの時間や３０％（設定調光率３）に下げるまでの時間を示してもよいし、放電灯２１０の照度７００ルクス［ｌｘ］（設定照度１）を１０００ルクス（設定照度２）に上げるまでの時間や３００ルクス（設定照度３）に下げるまでの時間を示してもよい。また、フェード時間は変化率で表わしてもよい。つまり、フェード時間は１秒当たりに上げ下げする調光率［％／秒］や照度［ｌｘ／秒］、調光率を１％変化させるのに費やす秒数［秒／％］、照度を１ルクス変化させるのに費やす秒数［秒／ｌｘ］で表してもよい。図６におけるα、β、γはフェード時間の変化率を表わしている。また、フェード時間は複数あってもよく、例えば、図６におけるフェード時間１とフェード時間２とが異なる時間（または変化率）であってもよい。また、フェード時間の始期は電源のＯＮ／ＯＦＦに限らず、例えば、時刻で示してもよい。例えば、点灯制御部１２３は、１３時になったときに放電灯２１０の調光率を所定のフェード時間の間に２５％から７０％に変化させてもよい。
【００１９】
保持時間、人感フェード時間、人感ディレー時間および不在時調光率について図７に基づいて説明する。
図７において横軸は時間、縦軸は放電灯２１０の調光率を示す。
人感フェード時間は人感センサ２８４が人を検知して検知有の状態になった場合に放電灯２１０の調光率を０から設定調光率に上げるまでの時間および人感センサ２８４が人を検知せず検知無の状態になってから保持時間後に放電灯２１０の調光率を設定調光率から不在時調光率に下げるまでの時間を示す。前者を在時の人感フェード時間、後者を不在時の人感フェード時間として区別してもよい。また、人感フェード時間は図６において説明したフェード時間と同様に、変化率で表してもよい。
人感センサ２８４は、人の動作により生ずる熱線などの変化を検知して人の有無を判定するため、人が存在していてもその人が静止している場合は人を検知できず検知無の状態になる特性がある。
保持時間は、人感センサ２８４の特性を考慮した時間であり、人感センサ２８４が検知無の状態になった後も放電灯２１０の調光率を設定調光率で保つ時間を示す。
人感ディレー時間は、保持時間と同様に人感センサ２８４の特性を考慮した時間であり、人感フェード時間経過後も放電灯２１０の調光率を不在時調光率で保つ時間を示す。
【００２０】
調光カーブについて図８に基づいて説明する。
図８において横軸は「照度レベル」、縦軸は「明度（明るさ）」を示す。
人に対して「目標明度」の光を発したい場合に人（眼）が感じる光の明るさは放電灯２１０が発する光の明るさとは異なるという特性がある。
調光カーブは人（眼）が感じる明るさの特性を示す。
例えば、調光カーブが図８に示す特性である場合、「目標明度」を実現するためには、放電灯２１０が「目標明度」の光を発するために必要な照度レベル「５」ではなく、調光カーブが「目標明度」の明るさを示す照度レベル「７」で放電灯２１０を点灯させる。
【００２１】
初期照度補正について図９に基づいて説明する。
図９において横軸は放電灯２１０の累積点灯時間、縦軸は放電灯２１０の調光率を示す。
放電灯２１０は同一の調光率であっても「累積点灯時間」と共に照度が下がるという特性を持つ。そこで、放電灯２１０の使用初め（累積点灯時間：０時間）から寿命の終わり（例えば、累積点灯時間：１２０００時間）まで一定の照度を保つために、使用初めの「調光率」を低め（例えば、７０％）に設定し、寿命の終わりの「調光率」を高め（例えば、１００％）に設定する。そして、点灯制御部１２３は図９の「初期照度補正の特性を示すカーブ」に基づいて「累積点灯時間」の経過と共に放電灯２１０の「調光率」を変化させる。これにより、点灯制御部１２３は放電灯２１０を一定の照度で点灯させると共に放電灯２１０の消費電力を節約することができる。節約できる電力量は図９の網掛け部分（“初期照度補正”の特性を示すカーブと調光率１００％ラインとが成す部分）に相当する電力量である。
また、初期照度とは放電灯２１０が初期照度補正を行わないで新しいランプを調光率１００％で点灯した時の照度である。
点灯制御部１２３は初期照度に応じて放電灯２１０の調光率をインバータ回路１１０に制御させ、放電灯２１０の調光率を初期照度補正状態として点灯装置記憶部１２９に記憶する。
【００２２】
その他の放電灯制御情報について以下に説明する。
上限調光率と下限調光率は設定調光率、不在時調光率などの放電灯２１０の調光率の上限値と下限値を示す。
照度センサ感度は照度センサ２８３の感度を示す。
照度通報変化量は、放電灯点灯装置１００からコントローラ３００に照明器具２００の照度を送信する条件を示し、照度センサ２８３が検知した照度が一定時間においてまたは初期照度に対してまたは設定照度に対して照度通報変化量以上変化した場合に放電灯点灯装置１００はコントローラ３００に照明器具２００の照度を送信する。
照度通報間隔時間は、放電灯点灯装置１００からコントローラ３００に照明器具２００の照度を送信する条件を示し、放電灯点灯装置１００は一定の間隔でコントローラ３００に照明器具２００の照度を送信する。
インバータ動作モードは放電灯点灯装置１００をリセットした後の放電灯２１０の再点灯方法を示す。インバータ動作モードは、例えば、放電灯点灯装置１００をリセット後に、リセット前と同じ放電灯制御情報または工場出荷時に設定された放電灯点灯装置１００の放電灯制御情報に基づいて放電灯２１０を点灯させることを示す。
ブザーＯＮ／ＯＦＦ状態は放電灯点灯装置１００が放電灯２１０の異常状態や放電灯点灯装置１００の故障状態を検出した場合に通報ブザーを鳴らすか（ＯＮ状態）鳴らさないか（ＯＦＦ状態）を示す。
優先制御状態は放電灯点灯装置１００が放電灯２１０の異常状態や放電灯点灯装置１００の故障状態を検出した場合の制御方法を示す。優先制御状態は、例えば、放電灯２１０の異常状態や放電灯点灯装置１００の故障状態を検出した場合に放電灯２１０を消灯または点滅させることを示す。
スケジュールデータは年月日や時刻に対応付けて放電灯２１０に対する調光率やフェード時間などの制御情報を示す。点灯制御部１２３はスケジュールデータが示すスケジュールに合わせてインバータ回路１１０を制御し放電灯２１０を点灯させる。
色温度値は放電灯２１０に発せさせる光の色温度を示す。色温度は青紫光と赤色光との相対的な強さを示し、色温度が高いほど青色に近くなり色温度が低いほど赤色に近くなる。色温度の単位にはＫ（ケルビン）が用いられる。
【００２３】
上記実施の形態１における放電灯点灯装置１００は放電灯情報をコントローラ３００以外、例えば、利用者端末に送信してもよい。そして、放電灯点灯装置１００が利用者端末に放電灯情報を送信することで、例えば、放電灯点灯装置１００が寿命に達したことを遠隔地にいる利用者に認知させることができる。
また、放電灯点灯装置１００がコントローラ３００などの外部に送信する放電灯情報には上記説明のように放電灯に関する様々な情報が含まれるため、例えば、上位コントローラ３００が放電灯情報に基き放電灯点灯装置１００に省エネ制御を行わせたり、調光トレンドグラフを表示させ、省エネ状態を監視できる。調光トレンドグラフとは、ランプの点灯状態（または消費電力）をトレースしたものであり、調光トレンドグラフは、図１０に示すように外部のモニタなどへの表示や、トレースした履歴に基づく日単位や月単位の消費電力の算出などに使用する。また、例えば、上記実施の形態１により、放電灯情報が放電灯の寿命や放電灯点灯装置の故障などのエラー情報を示していると判断した場合に放電灯点灯装置１００に安全停止指令や通報指令を行うことができる。
【００２４】
実施の形態２．
図１１は、実施の形態２における照明制御システム１０１のシステム構成図である。
図１１に示すように、コントローラ３００は有線でなく無線で各照明器具２００と放電灯情報や放電灯制御情報を通信してもよい。
無線のインターフェースを用いることによって、照明器具２００の配線が従来から行っている電源線の配線のみで行えるので工事が簡便である。つまり、無線にすることでコントローラ３００と照明器具２００との配線接続が不要になり配線コストを低減することができる。また、ビル設備をリニューアルし、照明制御システムを導入する場合においても、安価で最新のシステムと同等の省エネシステムを導入できる。
その他の構成、処理などについては上記実施の形態１における照明制御システム１０１と同様である。
【００２５】
実施の形態３．
図１２は、実施の形態３における照明制御システム１０１のシステム構成図である。
図１２に示すように、照明器具２００は有線（例えば、コントローラ３００との通信で使用）と無線（例えば、リモートコントローラ５００との通信で使用）との両方で通信を行ってもよい。
有線は電波の届かない場所に用いる。また、無線をリモートコントローラ５００（リモコン設定器）などで用いれば通信線にいちいち接続したりせず操作や設定が行える。また、有線と無線との両方を用いて通信を行うことで照明制御システム１０１の可用性が向上する。
その他の構成、処理などについては上記実施の形態１における照明制御システム１０１と同様である。
【００２６】
実施の形態４．
実施の形態４では、各実施の形態でも説明した「コントローラ３００および照明器具２００とリモートコントローラ５００や利用者端末５１０が通信する形態」の詳細について説明する。
【００２７】
図１３は、実施の形態４における制御管理システム１０２の構成図である。
図１３に示すように、実施の形態４における制御管理システム１０２は、コントローラ３００や照明器具２００と接続する利用者端末５１０と、利用者端末５１０を含む照明制御システム１０１の複数と接続する制御管理装置５２０とを備える。
照明制御システム１０１は各実施の形態で説明したものであり、電源４００に接続する電力線は図示を省略する。
【００２８】
制御管理装置５２０は各照明制御システム１０１を制御する。例えば、制御管理装置５２０は各照明制御システム１０１のコントローラ３００から各コントローラ３００が各照明器具２００から受信した放電灯情報や各コントローラ３００が各照明器具２００に送信して各照明器具２００に設定した放電灯制御情報を取得する。また例えば、制御管理装置５２０はコントローラ３００と同様に各照明器具２００から放電灯情報を取得する。また例えば、制御管理装置５２０は各照明器具２００から設定されている放電灯制御情報を取得する。また例えば、制御管理装置５２０は、コントローラ３００と同様に、各放電灯情報が示す放電灯での測定値や放電灯の状態に対応付けて放電灯をどのように制御するかを示す放電灯制御情報を記憶し、コントローラ３００や照明器具２００から取得した放電灯情報に対応する放電灯制御情報を送信して照明器具２００を制御する。また例えば、制御管理装置５２０はキーボードやマウスなどの入力機器から入力したオペレータ指定の放電灯制御情報を送信してオペレータ指定の放電灯制御情報をコントローラ３００や照明器具２００に設定する。
【００２９】
利用者端末５１０やリモートコントローラ５００は、それぞれが接続する照明制御システム１０１において、制御管理装置５２０と同様に、コントローラ３００や照明器具２００から放電灯情報や放電灯制御情報を取得し、コントローラ３００や照明器具２００に対して放電灯制御情報を設定する。
【００３０】
図１４は、実施の形態４における制御管理装置５２０、利用者端末５１０およびリモートコントローラ５００のハードウェア資源の一例を示す図である。
図１４において、制御管理装置５２０、利用者端末５１０およびリモートコントローラ５００はＣＰＵ９１１、ＲＯＭ９１３、ＲＡＭ９１４、表示装置９０１、入力機器９０２、通信機９１５および磁気ディスク装置９２０を備える。リモートコントローラ５００には磁気ディスク装置９２０の代わりにＲＡＭやフラッシュメモリなどの半導体メモリが用いられる。また、ＣＰＵ９１１はＯＳ９２１やプログラム群９２３に記憶されているプログラムを実行してＣＰＵ９１１にバスを介して接続されるＲＯＭ９１３、ＲＡＭ９１４、表示装置９０１、入力機器９０２、通信機９１５および磁気ディスク装置９２０を制御する。ファイル群９２４には制御管理装置５２０、利用者端末５１０またはリモートコントローラ５００で使用される各種情報が記憶される。例えば、算出結果、判定結果、送受信したデータがファイル群９２４に記憶される。また、放電灯情報や放電灯制御情報はファイル群９２４に記憶される情報の一例である。
ＲＯＭ９１３、ＲＡＭ９１４および磁気ディスク装置９２０、その他半導体メモリなどは記憶機器、記憶装置の一例である。
【００３１】
図１５は、実施の形態４における制御管理装置５２０、利用者端末５１０およびリモートコントローラ５００の機能構成図である。
制御管理装置５２０、利用者端末５１０およびリモートコントローラ５００はそれぞれ、通信機９１５を用いて有線または無線でコントローラ３００および照明器具２００と放電灯情報や放電灯制御情報を送受信する通信部（制御管理通信部５２１、利用者端末通信部５１１、リモコン通信部５０１）を備える。通信部はコントローラ３００のコントローラインタフェース回路３１０に相当する機能も有する。
また、制御管理装置５２０、利用者端末５１０およびリモートコントローラ５００はそれぞれ、キーボード、マウス、テンキー、十字キー、ボタンなどの入力機器９０２から、コントローラ３００や照明器具２００に対する放電灯情報の取得や放電灯制御情報の設定に関するオペレータ指定を入力する入出力部（制御管理入出力部５２３、利用者端末入出力部５１３、リモコン入出力部５０３）を備える。また、入出力部は通信部が受信した放電灯情報および放電灯制御情報や入力機器９０２から入力したオペレータ指定の入力情報を表示装置９０１に表示する。
また、制御管理装置５２０、利用者端末５１０およびリモートコントローラ５００はそれぞれ、通信部が受信した放電灯情報や入出力部が入力したオペレータ指定の入力情報に基づいて放電灯制御情報をＣＰＵを用いて生成する制御部（制御管理制御部５２２、利用者端末制御部５１２、リモコン制御部５０２）を備える。制御部はコントローラ３００のコントローラ情報操作部３２０に相当する機能も有する。
また、制御管理装置５２０、利用者端末５１０およびリモートコントローラ５００はそれぞれ、通信部が受信した放電灯情報および放電灯制御情報や制御部が生成した放電灯制御情報や入出力部が入力したオペレータ指定の入力情報などを記憶機器に記憶する記憶部（制御管理記憶部５２９、利用者端末記憶部５１９、リモコン記憶部５０９）を備える。記憶部はコントローラ３００のコントローラ記憶部３９０に相当する。
【００３２】
図１６は、実施の形態４におけるコントローラ３００が有する放電灯制御情報の一例を示す図である。
例えば、コントローラ３００はコントローラ記憶部３９０に図１６に示すような放電灯制御情報を記憶し、各照明器具２００から受信した放電灯情報に対応する放電灯制御情報を各照明器具２００に設定する。
図１６において、放電灯制御情報は放電灯情報に含まれる放電灯識別情報や放電灯情報に含まれる放電灯状態情報に対応付いた制御内容を示している。放電灯制御情報は放電灯情報に含まれる放電灯測定情報に対応付けて制御内容を示しても構わない。
照明器具２００から取得する放電灯情報には放電灯を識別する放電灯識別情報、照明器具２００内で測定された放電灯に関する各種の測定値を示す放電灯測定情報、放電灯測定情報に基づいて算出・判定された放電灯の状態を示す放電灯状態情報などが含まれる。
例えば、コントローラ３００において、コントローラ情報操作部３２０は、照明器具２００から受信した放電灯情報に対して、放電灯識別情報が当該放電灯が“ランプＡ”という種類のランプを用いていることを示し、放電灯状態情報に含まれるランプ積算時間が“６０００時間（ランプ寿命時間）以上”である場合、“放電灯”の“点滅”を示す放電灯制御情報を生成し、コントローラインタフェース回路３１０を介して当該照明器具２００に送信する。この放電灯制御情報を受信した照明器具２００では点灯制御部１２３が放電灯２１０を点滅させる。
また例えば、コントローラ情報操作部３２０は放電灯識別情報が当該放電灯が“ランプＣ”という種類のランプを用いていることを示し、放電灯状態情報に含まれるランプ積算時間が“１２０００時間以上”である場合、“放電灯”の“消灯”を示す放電灯制御情報を生成し、コントローラインタフェース回路３１０を介して当該照明器具２００に送信する。この放電灯制御情報を受信した照明器具２００では点灯制御部１２３が放電灯２１０を消灯させる。もちろん、６０００、８５００、１２０００時間に限る事なく、ランプ寿命に合わせた時間を設定できるようにしてもよい。
また例えば、コントローラ情報操作部３２０は放電灯状態情報に含まれるインバータ積算時間が“４００００時間以上”である場合、“ＬＥＤ”の“点灯”を示す放電灯制御情報を生成し、コントローラインタフェース回路３１０を介して当該照明器具２００に送信する。この放電灯制御情報を受信した照明器具２００では点灯制御部１２３がＬＥＤ（図示省略）を点灯させる。照明器具２００は放電灯２１０とは別にＬＥＤなどのランプ・光源を状態表示用に備えることを特徴とする。照明器具２００のＬＥＤは照明器具２００の状態を点灯、消灯、点滅などにより利用者に報知する。
また、消灯のままでは不便であるので、管理者が寿命を認知した上で点滅や消灯を解除するようにできるのが望ましい。
また例えば、コントローラ情報操作部３２０は放電灯状態情報に含まれるエラー情報が“ランプ無し”、“不点”を示す場合、それぞれ“スピーカー”からの“警告音Ａ”の出力、“スピーカー”からの“警告音Ｂ”の出力を示す放電灯制御情報を生成し、コントローラインタフェース回路３１０を介して当該照明器具２００に送信する。この放電灯制御情報を受信した照明器具２００ではマイクロコンピュータ１２０がスピーカー（図示省略）から“警告音Ａ”や“警告音Ｂ”を出力する。照明器具２００はスピーカーなどの音声ユニットを状態警告用に備えることを特徴とする。スピーカーは照明器具２００に不具合が生じたことを警告音や所定の音声メッセージにより利用者に報知する。警告音や音声メッセージは点灯装置記憶部１２９に予め記憶しておいてもよいし、コントローラ３００から送信される放電灯制御情報に含まれていてもよい。
【００３３】
また、コントローラ３００のコントローラインタフェース回路３１０は各照明器具２００から受信した放電灯情報やコントローラ情報操作部３２０が生成した放電灯制御情報を制御管理装置５２０、利用者端末５１０およびリモートコントローラ５００に送信する。
制御管理装置５２０、利用者端末５１０およびリモートコントローラ５００では通信部がコントローラ３００から放電灯情報や放電灯制御情報を受信し、受信した放電灯情報や放電灯制御情報を記憶部に記憶する。また、入出力部は受信した放電灯情報や放電灯制御情報を表示装置９０１に表示する。
【００３４】
管理者や利用者（以下、オペレータとする）は制御管理装置５２０や利用者端末５１０やリモートコントローラ５００からコントローラ３００や照明器具２００を制御することができる。
例えば、オペレータは、制御管理装置５２０や利用者端末５１０やリモートコントローラ５００の表示装置９０１に表示された放電灯情報や放電灯制御情報に基づいて、コントローラ３００または照明器具２００に設定する放電灯制御情報と放電灯制御情報を設定するコントローラ３００または照明器具２００を識別する識別情報とを入力機器９０２から入力する。
制御管理装置５２０や利用者端末５１０やリモートコントローラ５００の入出力部は入力機器９０２からオペレータ指定の識別情報と放電灯制御情報を入力し、入力したオペレータ指定の識別情報と放電灯制御情報とを記憶部に記憶する。また、通信部はオペレータ指定の識別情報で識別されるコントローラ３００または照明器具２００にオペレータ指定の放電灯制御情報を送信する。
当該コントローラ３００ではコントローラインタフェース回路３１０がオペレータ指定の放電灯制御情報を受信し、受信したオペレータ指定の放電灯制御情報をコントローラ記憶部３９０に記憶する。以後、コントローラ３００のコントローラ情報操作部３２０はオペレータ指定の放電灯制御情報に基づいて各照明器具２００に対する放電灯制御情報を生成する。
また、当該照明器具２００では点灯装置送受信部１２１がオペレータ指定の放電灯制御情報を受信し、受信した放電灯制御情報を点灯装置記憶部１２９に記憶する。そして、点灯制御部１２３はオペレータ指定の放電灯制御情報に基づいて放電灯２１０の点灯を制御する。また、マイクロコンピュータ１２０はオペレータ指定の放電灯制御情報に基づいてＬＥＤやスピーカーを制御する。
【００３５】
また、制御管理装置５２０、利用者端末５１０およびリモートコントローラ５００はコントローラ３００を介さず照明器具２００から直接に放電灯情報を取得してもよい。
このとき、制御管理装置５２０、利用者端末５１０およびリモートコントローラ５００の通信部はコントローラ３００のコントローラインタフェース回路３１０と同様にして照明器具２００から放電灯情報を取得する。
【００３６】
実施の形態４では放電灯状態情報に対応した制御について説明した。
特に、ランプ積算時間やインバータ積算時間（寿命）、放電灯の球切れや不点（異常、故障状態）に対応して制御を行うことについて説明した。
例えば、制御管理システム１０２では以下の条件（ａ１）や条件（ａ２）の時間に達したとき、あるいは条件（ａ３）の状態となったときに、以下の制御（ｂ１）〜制御（ｂ４）のような制御を行う。
【００３７】
条件（ａ１）：ランプの寿命時間
条件（ａ２）：インバータの寿命時間
条件（ａ３）：インバータ回路でランプの有無や不点を検出
【００３８】
ランプの寿命時間には、例えば、６０００時間、８５００時間、１２０００時間が設計値として設定される。
インバータの寿命時間には、例えば、４００００時間が設計値として設定される。
ランプの有無は２つあるフィラメントが接続されているか否かで判別する。
ランプの不点は２つあるフィラメントのエミッタ物質が無いことやランプの封入ガスが漏れたことなどを起因とするランプ異常、故障状態として検出する。
【００３９】
制御（ｂ１）：放電灯を消灯、点滅させる。
制御（ｂ２）：ＬＥＤを点灯、消灯、点滅させる。
制御（ｂ３）：音声ユニットから音声を出力する。
制御（ｂ４）：外部端末またはＰＣ（パーソナルコンピュータ）などのモニタに満たした条件（ａ１）〜条件（ａ３）についての表示をする。
【００４０】
つまり、制御管理システム１０２が行う制御には、消灯や点滅などのランプの制御（放電灯点灯制御）だけでなく、放電灯以外のオペレータへの通知用の光源による点灯、消灯、点滅などの動作（通知用光源点灯制御）や音源の動作（音出力制御）やモニタ等の表示装置への情報出力（表示制御）などによる使用者への告知も含まれる。
【００４１】
また、実施の形態４では、放電灯状態情報に関して、使用者が放電灯使用時に寿命の警告、異常または故障に気付く態様だけでなく、システムの管理者等が所定の位置で放電灯の不具合または放電灯からの警告等をモニタできる態様についても説明した。
【００４２】
例えば、建物の壁スイッチに外部通信線を接続する端子を有している場合、使用者・管理者は壁スイッチに外部通信線を接続した利用者端末を介して各照明器具２００の状態を確認することができる。
また例えば、ビル集中管理制御を行っている場合、集中管理室の制御管理装置に外部通信線を接続することにより、使用者・管理者は集中管理室で各照明器具２００の状態を確認することができる。
また例えば、使用者・管理者は双方向で通信するリモートコントローラを用いて通信範囲内にある各照明器具２００の状態を確認することができる。
【図面の簡単な説明】
【００４３】
【図１】実施の形態１における照明制御システム１０１のシステム構成図。
【図２】実施の形態１における照明器具２００の機能構成図。
【図３】実施の形態１におけるコントローラ３００の機能構成図。
【図４】実施の形態１におけるマイクロコンピュータ１２０とコントローラ３００とのハードウェア資源の一例を示す図。
【図５】実施の形態１における照明制御システム１０１の制御方法を示すフローチャート。
【図６】実施の形態１における放電灯制御情報を示す概念図。
【図７】実施の形態１における放電灯制御情報を示す概念図。
【図８】実施の形態１における放電灯制御情報を示す概念図。
【図９】実施の形態１における放電灯制御情報を示す概念図。
【図１０】実施の形態１における調光トレンドグラフ。
【図１１】実施の形態２における照明制御システム１０１のシステム構成図。
【図１２】実施の形態３における照明制御システム１０１のシステム構成図。
【図１３】実施の形態４における制御管理システム１０２の構成図。
【図１４】実施の形態４における制御管理装置５２０、利用者端末５１０およびリモートコントローラ５００のハードウェア資源の一例を示す図。
【図１５】実施の形態４における制御管理装置５２０、利用者端末５１０およびリモートコントローラ５００の機能構成図。
【図１６】実施の形態４におけるコントローラ３００が有する放電灯制御情報の一例を示す図。
【符号の説明】
【００４４】
１００  放電灯点灯装置、１０１  照明制御システム、１０２  制御管理システム、１１０  インバータ回路、１２０  マイクロコンピュータ、１２１  点灯装置送受信部、１２２  点灯装置情報操作部、１２３  点灯制御部、１２９  点灯装置記憶部、１３０  点灯装置インタフェース回路、１８０  点灯装置内測定器、２００  照明器具、２１０  放電灯、２８０  放電灯測定器、２８１  照明器具内測定器、２８２  照明器具外測定器、２８３  照度センサ、２８４  人感センサ、３００  コントローラ、３１０  コントローラインタフェース回路、３２０  コントローラ情報操作部、３９０  コントローラ記憶部、４００  電源、５００  リモートコントローラ、５０１  リモコン通信部、５０２  リモコン制御部、５０３  リモコン入出力部、５０９  リモコン記憶部、５１０  利用者端末、５１１  利用者端末通信部、５１２  利用者端末制御部、５１３  利用者端末入出力部、５１９  利用者端末記憶部、５２０  制御管理装置、５２１  制御管理通信部、５２２  制御管理制御部、５２３  制御管理入出力部、５２９  制御管理記憶部、９１１  ＣＰＵ、９１２  バス、９１３  ＲＯＭ、９１４  ＲＡＭ、９１５  通信機、９２０  磁気ディスク装置、９２１  ＯＳ、９２３  プログラム群、９２４  ファイル群、９３１  クロック。
【図１】
2007287671.tif 000003
【図２】
2007287671.tif 000004
【図３】
2007287671.tif 000005
【図４】
2007287671.tif 000006
【図５】
2007287671.tif 000007
【図６】
2007287671.tif 000008
【図７】
2007287671.tif 000009
【図８】
2007287671.tif 000010
【図９】
2007287671.tif 000011
【図１０】
2007287671.tif 000012
【図１１】
2007287671.tif 000013
【図１２】
2007287671.tif 000014
【図１３】
2007287671.tif 000015
【図１４】
2007287671.tif 000016
【図１５】
2007287671.tif 000017
【図１６】
2007287671.tif 000018